(57)【要約】【課題】大判サイズの記録媒体に印刷する画像を分割して記録する際に、記録媒体に不要な余白を発生させずに記録し、かつ、記録媒体に記録された分割画像の管理を容易にする情報処理装置を提供する。【解決手段】原画像データを拡大して拡大画像データを作成し、次に拡大画像データをラベルプリンタで使用する長尺状の連続用紙の幅に合わせて分割して分割データを生成し、ラベルプリンタに連続して記録されるように送信する。ラベルプリンタではこの分割データに基づいて連続紙上に分割画像を連続して印刷する。この分割画像を切断し、縦方向または横方向に並べて張り合わせることにより、拡大画像が得られる。【選択図】図１
2005022332.tif 000002
【特許請求の範囲】
【請求項１】
原画像データを指定された倍率で拡大して拡大画像データを生成する拡大手段と、
前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割手段と、
前記分割された画像データから形成される分割画像が、前記長尺状の記録媒体上に連続して記録されるように、前記分割された画像データを送信する送信手段と、
を有することを特徴とする情報処理装置。
【請求項２】
前記分割手段は、前記分割された複数の画像データから形成される分割画像の縦または横の長さが、前記長尺状の記録媒体の幅と略一致し、かつ、前記長尺状の記録媒体の長手方向の長さが、前記拡大画像データから形成される拡大画像の残りの横または縦の長さと略一致するように、前記拡大画像データを分割することを特徴とする請求項１に記載の情報処理装置。
【請求項３】
前記送信される画像データに基づいて前記長尺状の記録媒体上に連続して形成される分割画像を、前記長尺状の記録媒体の長手方向の長さで切断し、該切断された分割画像を縦方向にまたは横方向にに連続して並べると、前記拡大画像が形成されることを特徴とする請求項２に記載の情報処理装置。
【請求項４】
前記分割手段は、前記分割された画像データに分割画像の境界を識別する区切り線データを付与することを特徴とする請求項１に記載の情報処理装置。
【請求項５】
前記分割手段は、前記分割された画像データに分割画像の分割順序を識別する分割番号データを付与することを特徴とする請求項１に記載の情報処理装置。
【請求項６】
前記送信手段は、前記分割された画像データを前記分割番号の順に送信することを特徴とする請求項５に記載の情報処理装置。
【請求項７】
受信した画像データに基づいて長尺状の記録媒体に画像を記録する画像記録装置であって、
分割された画像データを連続して受信する受信手段と、
前記連続して受信する前記分割された画像データに基づいて、前記長尺状の記録媒体上に分割画像を連続して記録する記録手段と、
を有することを特徴とする画像記録装置。
【請求項８】
前記長尺状の記録媒体を巻き取る巻取手段を更に有することを特徴とする請求項７に記載の画像記録装置。
【請求項９】
画像データを送信する情報処理装置と、受信した前記画像データに基づいて画像を記録する画像記録装置と、を有する画像記録システムであって、
前記情報処理装置は、
原画像データを指定された倍率で拡大して拡大画像データを生成する拡大手段と、
前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割手段と、
前記分割された画像データから形成される分割画像が、前記長尺状の記録媒体上に連続して記録されるように、前記分割された画像データを送信する送信手段と、を有し、
前記画像記録装置は、
前記分割された画像データを連続して受信する受信手段と、
前記連続して受信する、前記分割された画像データに基づいて、前記長尺状の記録媒体上に分割画像を連続して記録する記録手段と、
を有することを特徴とする画像記録システム。
【請求項１０】
前記長尺状の記録媒体を巻き取る巻取手段を更に有することを特徴とする請求項９に記載の画像記録システム。
【請求項１１】
原画像データを指定された倍率で拡大して拡大画像データを生成する拡大工程と、
前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割工程と、
前記分割された画像データから形成される分割画像が、前記長尺状の記録媒体上に連続して記録されるように、前記分割された画像データを送信する送信工程と、
を有することを特徴とする情報処理装置の制御方法。
【請求項１２】
情報処理装置を制御する制御プログラムであって、
原画像データを指定された倍率で拡大して拡大画像データを生成する拡大工程のプログラムコードと、
前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割工程のプログラムコードと、
前記分割された画像データから形成される分割画像が、前記長尺状の記録媒体上に連続して記録されるように、前記分割された画像データを送信する送信工程のプログラムコードと、
を有することを特徴とする情報処理装置を制御する制御プログラム。
【請求項１３】
画像データを、該画像の縦または横のいずれか一方の長さよりも短い幅の長尺状の記録媒体に分割して記録するために、長尺状の記録媒体の幅に合わせて前記画像データを分割する分割手段と、
前記分割された画像データから形成される分割画像が、前記長尺状の記録媒体上に連続して記録されるように、前記分割された画像データを送信する送信手段と、
を有することを特徴とする情報処理装置。
【請求項１４】
画像データを、該画像の縦または横のいずれか一方の長さよりも短い幅の長尺状の記録媒体に分割して記録するために、長尺状の記録媒体の幅に合わせて前記画像データを分割する分割工程と、
前記分割された画像データから形成される分割画像が、前記長尺状の記録媒体上に連続して記録されるように、前記分割された画像データを送信する送信工程と、
を有することを特徴とする情報処理装置の制御方法。
【発明の詳細な説明】
【０００１】
【発明の属する技術分野】
本発明は、用紙幅がある幅以下に制限されている連続紙を用いる印刷機器の印刷制御に用いる情報処理装置、画像記録装置、画像記録システム、それらの制御方法、制御プログラムに関し、特に、大判の用紙に印刷する印刷データを分割し、上記連続紙に分割して印刷することで、印刷機器の印刷サイズを超える大判印刷物の印刷を可能とする印刷制御に関する。
【０００２】
【従来の技術】
通常、大判サイズの記録媒体（例えば、記録用紙）に印刷を行う場合は、大判サイズの印刷が可能な大判対応のプリンタを用いて印刷を行う。しかし、大判サイズの記録媒体に印刷できるプリンタがない場合には、以下のようにして分割して印刷してきた。
【０００３】
すなわち、ホストコンピュータから印刷機器に送信される印刷データは、予め印刷機器で使用可能な記録用紙サイズに合わせてマトリックスに分割されてから送信される。次に、この分割された印刷データをプリンタが受信すると、分割された印刷データに基づいて複数枚の用紙に分割して印刷を行う。そして、最後に、印刷された複数の画像を元の画像と同じになるように張り合わせることで大判印刷物を作成していた（例えば、特許文献１）。
【０００４】
【特許文献１】
特開平７−２８８７５８号公報（図７  第２頁）
【０００５】
【発明が解決しようとする課題】
しかしながら、上記のように大判サイズの記録媒体に印刷する画像を分割して印刷する場合には、以下のような問題が発生する。例えば、ホストコンピュータから印刷機器に分割データを送出する場合、マトリックスに分割される印刷データは、使用する印刷機器の記録用紙サイズの倍数に合わせる必要があるが、印刷データの大きさはまちまちであるため、常にこの条件を満たすことは不可能であった。そのため、かりに分割前の印刷データを記録用紙サイズの倍数として分割できない場合には、分割されて印刷される記録用紙には不要な余白が発生した。
【０００６】
また、マトリックスに分割される印刷データは、使用する印刷機器の記録用紙サイズの倍数に一致した場合であっても印刷される画像は、複数枚に分かれて印刷されるため、出力後の画像の管理が煩雑になったり、あるいは持ち運びに注意が必要な場合もあった。
【０００７】
本発明は上記説明した従来技術の問題点を解決するためになされたものであり、その目的は、大判サイズの記録媒体に印刷する画像をこの大判サイズの縦幅または横幅よりも狭い幅の記録媒体に分割して記録する際に、この記録媒体に不要な余白を発生させない情報処理装置を提供することである。
【０００８】
また本発明の別の目的は、記録媒体に分割して記録される画像の管理を容易にする情報処理装置を提供することである。
【０００９】
また本発明の別の目的は、画像データを、該画像の縦または横のいずれか一方の長さよりも短い幅の長尺状の記録媒体に分割して記録するために、長尺状の記録媒体の幅に合わせて前記画像データを分割して、前記分割された画像データから形成される分割画像が、前記長尺状の記録媒体上に連続して記録されるようにすることを目的とする。
【００１０】
【課題を解決するための手段】
上記目的を達成するための本発明に係る一実施形態の情報処理装置は、以下の構成を有する。すなわち、原画像データを指定された倍率で拡大して拡大画像データを生成する拡大手段と、前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割手段と、前記分割された画像データから形成される分割画像が、前記長尺状の記録媒体上に連続して記録されるように、前記分割された画像データを送信する送信手段と、を有することを特徴とする。
【００１１】
ここで、例えば、前記分割手段は、前記分割された複数の画像データから形成される分割画像の縦または横の長さが、前記長尺状の記録媒体の幅と略一致し、かつ、前記長尺状の記録媒体の長手方向の長さが、前記拡大画像データから形成される拡大画像の残りの横または縦の長さと略一致するように、前記拡大画像データを分割することが好ましい。
【００１２】
ここで、例えば、前記送信される画像データに基づいて前記長尺状の記録媒体上に連続して形成される分割画像を、前記長尺状の記録媒体の長手方向の長さで切断し、該切断された分割画像を縦方向にまたは横方向にに連続して並べると、前記拡大画像が形成されることが好ましい。
【００１３】
ここで、例えば、前記分割手段は、前記分割された画像データに分割画像の境界を識別する区切り線データを付与することが好ましい。
【００１４】
ここで、例えば、前記分割手段は、前記分割された画像データに分割画像の分割順序を識別する分割番号データを付与することが好ましい。
【００１５】
ここで、例えば、前記送信手段は、前記分割された画像データを前記分割番号の順に送信することが好ましい。
【００１６】
上記目的を達成するための本発明に係る一実施形態の画像記録装置は、以下の構成を有する。すなわち、受信した画像データに基づいて長尺状の記録媒体に画像を記録する画像記録装置であって、分割された画像データを連続して受信する受信手段と、前記連続して受信する前記分割された画像データに基づいて、前記長尺状の記録媒体上に分割画像を連続して記録する記録手段と、を有することを特徴とする。
ここで、例えば、前記長尺状の記録媒体を巻き取る巻取手段を更に有することが好ましい。
【００１７】
上記目的を達成するための本発明に係る一実施形態の画像記録システムは、以下の構成を有する。すなわち、画像データを送信する情報処理装置と、受信した前記画像データに基づいて画像を記録する画像記録装置と、を有する画像記録システムであって、前記情報処理装置は、原画像データを指定された倍率で拡大して拡大画像データを生成する拡大手段と、前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割手段と、前記分割された画像データから形成される分割画像が、前記長尺状の記録媒体上に連続して記録されるように、前記分割された画像データを送信する送信手段と、を有し、前記画像記録装置は、前記分割された画像データを連続して受信する受信手段と、前記連続して受信する、前記分割された画像データに基づいて、前記長尺状の記録媒体上に分割画像を連続して記録する記録手段と、を有することを特徴とする。
ここで、例えば、前記長尺状の記録媒体を巻き取る巻取手段を更に有することが好ましい。
【００１８】
上記目的を達成するための本発明に係る一実施形態の情報処理装置の制御方法は、以下の構成を有する。すなわち、原画像データを指定された倍率で拡大して拡大画像データを生成する拡大工程と、前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割工程と、前記分割された画像データから形成される分割画像が、前記長尺状の記録媒体上に連続して記録されるように、前記分割された画像データを送信する送信工程と、を有することを特徴とする。
【００１９】
上記目的を達成するための本発明に係る一実施形態の制御プログラムは、以下の構成を有する。すなわち、情報処理装置を制御する制御プログラムであって、原画像データを指定された倍率で拡大して拡大画像データを生成する拡大工程のプログラムコードと、前記拡大画像データから形成される拡大画像を、該拡大画像の縦または横のいずれか一方の長さよりも短い幅の長尺状の記録媒体に分割して記録するために、前記長尺状の記録媒体の幅に合わせて前記拡大画像データを分割する分割工程のプログラムコードと、前記分割された画像データから形成される分割画像が、前記長尺状の記録媒体上に連続して記録されるように、前記分割された画像データを送信する送信工程のプログラムコードと、を有することを特徴とする。
【００２０】
上記目的を達成するための本発明に係る一実施形態の情報処理装置は、以下の構成を有する。すなわち、画像データを、該画像の縦または横のいずれか一方の長さよりも短い幅の長尺状の記録媒体に分割して記録するために、長尺状の記録媒体の幅に合わせて前記画像データを分割する分割手段と、前記分割された画像データから形成される分割画像が、前記長尺状の記録媒体上に連続して記録されるように、前記分割された画像データを送信する送信手段と、を有することを特徴とする。
【００２１】
上記目的を達成するための本発明に係る一実施形態の情報処理装置の制御方法は、以下の構成を有する。すなわち、画像データを、該画像の縦または横のいずれか一方の長さよりも短い幅の長尺状の記録媒体に分割して記録するために、長尺状の記録媒体の幅に合わせて前記画像データを分割する分割工程と、前記分割された画像データから形成される分割画像が、前記長尺状の記録媒体上に連続して記録されるように、前記分割された画像データを送信する送信工程と、を有することを特徴とする。
【００２２】
【発明の実施の形態】
＜第１の実施形態＞
以下、本発明の実施形態の印刷システムを図面を参照して詳細に説明する。
【００２３】
本明細書において、「記録」（「印字」、「印刷」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２４】
また、「記録媒体」とは、一般的な記録装置で用いられる紙のみならず、広く、布、プラスチック・フィルム、金属板、ガラス、セラミックス、木材、皮革等、インクを受容可能なものも示すものとする。
【００２５】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を示すものとする。
【００２６】
［印刷システムの概略：図１］
図１は本発明が適用可能な印刷システムの概略図であり、情報処理装置であるホストコンピュータ１００と連続紙の印刷が可能な画像記録装置であるカラーラベルプリンタ１と連続紙を巻き取るリワインダ５０で構成される。
【００２７】
［ラベルプリンタの構成：図２］
図２は、本発明のラベルプリンタの全体的な構成を示す構成図である。
【００２８】
図２において、１はラベルプリンタ本体であり、このラベルプリンタ１は画像形成部２と、この画像形成部２に記録媒体である連続紙Ｐを給送するロールユニット３とを備えている。
ここで、画像形成部２は、用紙搬送方向に直行する方向（幅方向）に多数のインクジェットノズルを配置した記録ヘッド４と、ロールユニット３により給送されてきた用紙Ｐを搬送し、記録ヘッド４の下方を通過させる搬送部５とを備えている。また、記録ヘッド４はブラック、シアン、マゼンタ、イエローの吐出を行うための各記録ヘッドを備えており、記録ヘッドのサイズはふち無し記録を行うために用紙幅より大きいサイズである。
【００２９】
画像形成部２に用紙Ｐが搬送部５に搬送されると、ブラック、シアン、マゼンタ、イエローの順で記録ヘッド４を制御してインクを吐出させ、用紙Ｐ１の表面に画像を形成する。このように用紙Ｐの表面に画像を形成した後、用紙Ｐを装置本体１より排出し、リワインダーで巻き取る。
【００３０】
［ホストコンピュータおよびラベルプリンタの電気回路：図３］
図３はホストコンピュータおよび本ラベルプリンタの電気回路ブロック図である。
【００３１】
ホストコンピュータ１００は処理部ＣＰＵ、制御メモリＲＯＭ、データメモリＲＡＭおよびインタフェースＩ／Ｆを備えている。処理部ＣＰＵは後述するプログラムを読み込み処理・制御を行う。制御メモリＲＯＭは例えば、図５に示すフローに対応したプログラムを記憶している。データメモリＲＡＭは画像データを記憶し、それを処理した画像データをラベルプリンタに送る。
【００３２】
ホストコンピュータ１００から、ホストインターフェース７０３を介しラベルプリンタに画像が転送されてくると、制御部７００のＣＰＵはＥＥＰＲＯＭ７０２に記憶されている図５に示されるフローに対応したプログラムを読み込み、指定色を再現させる為に、イエローインク用のイメージメモリ７１７、マゼンタインク用のイメージメモリ７１６、シアンインク用のイメージメモリ７１５、ブラックインク用のイメージメモリ７１４のそれぞれに記録データを描画する。
【００３３】
インク４色分の画像展開が終了すると、制御部７００のＣＰＵが、搬送部５内の用紙を搬送する為の駆動モータ７２０を出力ポート７１８、モータドライバ７１９を介して駆動し、用紙の搬送に同期して、イメージメモリ７１４〜７１７の記録データがヘッド駆動回路７０９を経由して記録ヘッド７１０〜７１３に転送される。  記録ヘッド７１０〜７１３は、記録データに対応する駆動信号によってインクを吐出する。
【００３４】
［大判プリントをラベルプリンタで作成する手順：図４Ａ〜４Ｃ］
図４Ａ〜４Ｃは本実施形態の画像記録システムを構成するホストコンピュータとラベルプリンタとによって行われる大判プリントをラベルプリンタで分割して実現する一連の処理を説明する概念図である。
【００３５】
まず、図４Ａ〜４Ｂはホストコンピュータの処理であり、図４Ａでは、印刷する画像を作成するために、例えば、普通サイズ用の画像データである原画像データ２０１（横幅：Ｘ０、縦幅：Ｙ０）を、ｎ倍（横幅：Ｘ１＝ｎ×Ｘ０、縦幅：Ｙ１＝ｎ×Ｙ０）に拡大して拡大展開された画像データ２０２を作成し、次に、図４Ｂでは、拡大展開された画像データ２０２を印刷する連続用紙の縦幅：Ｙ２に合わせて分割して、分割データ２０３−１、２０３−２、…を作成する。
【００３６】
次に、図４Ｃはラベルプリンタの処理であり、図４Ｃでは、分割された分割データ２０３−１、２０３−２、…を用いて連続紙に順次印刷を行う。この印刷された連続紙を指定長さ（例えば、大判プリントの横幅）で分割し、この分割した画像を張り合わせることにより、拡大印刷を可能とすることができる。
【００３７】
［画像形成処理：図５］
図５は本実施形態の画像記録システムを構成するホストコンピュータとラベルプリンタとによって行われる一連の画像データ作成処理と作成された画像データに基づいて形成される画像記録処理の動作をまとめて説明するフローチャートである。
【００３８】
上述のように構成されている実施例の動作説明を図５に示すフローを参照して説明する。
【００３９】
すなわち、ステップＳ３０１〜ステップＳ３０７の処理はホストコンピュータの処理部ＣＰＵによって行われる画像データの作成処理であり、ホストコンピュータのＲＯＭに格納されている制御プログラムに基づいて、ホストコンピュータのＣＰＵがその各部を制御しながら行われるものである。
【００４０】
一方、ステップＳステップＳ３０８〜ステップＳ３０９の処理はラベルプリンタによって行われる作成された画像データに基づいて形成される画像記録処理であり、ラベルプリンタのＲＯＭに格納されている制御プログラムに基づいて、ラベルプリンタのＣＰＵがその各部を制御しながら行われるものである。
【００４１】
以下詳細に説明する。まず、ホストコンピュータによって行われる画像データの作成処理を説明する。
【００４２】
ステップＳ３０１において、記録用の大判用紙サイズを仮想用紙サイズ（横幅：Ｘ１、縦幅：Ｙ１）でメモリＲＡＭに登録する（図５の３１０）。
【００４３】
次に、ステップＳ３０２に進み、元の印刷画像（画像データが横幅：Ｘ０、縦幅：Ｙ０）をステップＳ３０１で作成された大判サイズ（横幅：Ｘ１、縦幅：Ｙ１）に拡大しメモリ上に画像を展開する（図５の３１１）。
【００４４】
次に、ステップＳ３０３において、大判用紙サイズ用の画像をラベルプリンタで分割して印刷するために、ラベルプリンタ用の連続紙の用紙サイズ（横幅：Ｘ１、縦：Ｙ２）をメモリに登録する（図５の３１２）。
【００４５】
次に、ステップＳ３０４において、ステップＳ３０２で大判サイズに展開された画像データを図５の３１３に示すように縦軸方向にＹ２の幅で分割し、横幅：Ｘ１、縦幅：Ｙ２を有する分割された画像データを形成する。なお図５に示した分割方法（縦軸方向Ｙ１をＹ２の幅で分割）は一例であり、例えば、この分割を横軸方向Ｘ１に例えば幅Ｘ２で分割しても上記と同様の方法にて作成が可能である。
【００４６】
次に、ステップＳ３０５において、図５の３１４に示すように縦幅をＹ２の幅で分割された画像データの各左端部に区切りとなる区切り線を付加するため区切り線データを分割された各画像データに付加する。
【００４７】
次に、ステップＳ３０６において、図５の３１４に示すように縦幅をＹ２の幅で分割された画像データの各左端部付近に分割番号を付加するため分割番号データを分割された各画像データに付加する。
【００４８】
次に、ステップＳ３０７において、分割された画像データをラベルプリンタに分割番号の順で送信する。
【００４９】
次に、ラベルプリンタによって行われる画像データの作成処理を説明する。
【００５０】
まず、ステップＳ３０８において、ラベルプリンタが分割された画像データを受信すると、図５の３１５に示すようには、受信したデータを順次連続紙に記録ヘッドにより縁無しで印刷し、次に、ステップＳ３０９においてプリンタに接続された巻取り器で印刷された連続紙を巻き取り、ロール紙状にして印刷物を作成する。
【００５１】
作成されたロール紙状の印刷物をＹ１幅で印刷された区切り線でカットし、分割した印刷物を左端に印刷された番号順に上から順に張り合わせることにより、所定の大判印刷物を作成することができる。
【００５２】
以上説明したように、本実施形態の情報処理装置では、任意の用紙サイズが設定するできるので、大判の印刷データをラベルプリンタの用紙幅で縦軸方向（または横軸方向）に分割し、横軸方向は大判のサイズの横軸の長さ（または縦軸の長さ）に設定することにより、ラベルプリンタで用いる連続紙に印刷を可能とした。
【００５３】
これにより、任意の大判サイズの印刷物を大判サイズの印刷物よりも狭い１つの用紙幅の連続紙に分割してかつ連続紙に不要な余白を発生させないで印刷することができる。
【００５４】
また、連続印刷を行う時点で、大判サイズの区切りとなる線を自動的に連続紙に印刷することにより、複数に分割した大判サイズの印刷物を連続紙で一括管理することができる。
【００５５】
これにより大判サイズの印刷物を、大判サイズの印刷物よりも狭い１つの用紙幅の連続紙で連続的に作成でき、かつ、分割して記録される印刷物を１枚の連続紙で容易に管理することができる。
【００５６】
また、分割された画像から大判印刷物を作成する場合、区切り線で分割し、番号順につなぎ合わせることにより容易に且つ確実に作成することができる。
【００５７】
【他の実施形態】
なお、本発明は、システム、装置、方法、プログラムもしくは記憶媒体などとしての実施態様を取ることも可能であり、具体的には、複数の機器（例えばホストコンピュータ，インターフェース機器，リーダ，プリンタなど）から構成されるシステムに適用しても、一つの機器からなる装置（例えば、複写機，ファクシミリ装置など）に適用してもよい。
【００５８】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００５９】
この場合、記憶媒体から読出されたプログラムコード自体が前述した実施形態の機能を実現することになり、そのプログラムコードを記憶した記憶媒体は本発明を構成することになる。
【００６０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００６１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００６２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６３】
本発明を上記記憶媒体に適用する場合、その記憶媒体には、先に説明した（図５に示す）フローチャートに対応するプログラムコードが格納されることになる。
【００６４】
以上説明したように、本発明では、任意の用紙サイズが設定できる長尺状の連続紙対応印刷機器（例えば、ラベルプリンタ）を使用し、大判の印刷データをこの印刷機器の用紙幅で横方向または縦方向に分割し、連続しの長手方向は大判のサイズ（例えば、縦幅あるいは横）とすることにより、連続紙に印刷を可能とした。これにより、任意の大判サイズの印刷物を１つの用紙幅の用紙に対して印刷を行い、任意の大判サイズの印刷物を作成可能とした。
【００６５】
また、連続印刷を行う時点で、大判サイズの区切りとなる線を自動的に連続紙の長手方向の所定位置に印刷することにより、複数に分割した印刷物を連続紙として一括管理することができる。これにより大判サイズの用紙サイズに印刷用紙を合わせることなく、１つの用紙サイズで異なる大判サイズの印刷物を作成することができる。
【００６６】
また、該分割されたデータに番号を付加し順次印刷する機能を有することにより、区切り線で分割しつなぎ合わせて大判印刷物を作成する場合、番号順につなぎ合わせることにより間違いなく作成が可能となる。
【００６７】
【発明の効果】
以上説明したように、本発明によれば、大判サイズの記録媒体に印刷する画像をこの大判サイズの縦幅よりも狭い縦幅の記録媒体に分割して記録する際に、この記録媒体に不要な余白を発生させない情報処理装置を提供することができる。
また、連続紙に連続して印刷することにより高速印刷が可能となると共に、印刷された出力物（分割画像）をロール状で一括して管理することができるため記録媒体に分割して記録される画像の管理を容易にすることができる。
【００６８】
また本発明によれば、画像データを、長尺状の記録媒体の幅に合わせて画像データを分割して、分割された画像データから形成される分割画像が、長尺状の記録媒体上に連続して記録されるようにすることができる。
【図面の簡単な説明】
【図１】本実施形態の印刷システムを説明する図である。
【図２】本実施形態のラベルプリンタを説明する図である。
【図３】本実施形態のラベルプリンタの制御回路の構成を説明する図である。
【図４Ａ】元の画像データを拡大して拡大展開された画像データを作成する処理を説明する図である。
【図４Ｂ】拡大展開された画像データを印刷する連続用紙の縦幅に合わせて分割する処理を説明する図である。
【図４Ｃ】分割された分割データを連続紙に順次印刷し、この印刷された連続紙を指定長さ（大判プリントの横幅）で分割して画像を張り合わせて拡大印刷を可能とする処理を説明する図である。
【図５】本実施形態の画像記録システムを構成するホストコンピュータとラベルプリンタとによって行われる一連の画像データ作成処理と作成された画像データに基づいて形成される画像記録処理の動作をまとめて説明するフローチャートである。
【符号の説明】
１  カラーラベルプリンタ
２  画像形成部
３  ロールユニット
４  記録ヘッド
５  搬送部
５０  リワインダ
１００  ホストコンピュータ
【図１】
2005022332.tif 000003
【図２】
2005022332.tif 000004
【図３】
2005022332.tif 000005
【図４Ａ】
2005022332.tif 000006
【図４Ｂ】
2005022332.tif 000007
【図４Ｃ】
2005022332.tif 000008
【図５】
2005022332.tif 000009